(57)【要約】【課題】従来のＯＮＴ診断機能へのアクセスの欠点を克服してこの機能を促進する。【解決手段】受動光ネットワーク（ＰＯＮ）システム用の光加入者線終端装置（ＯＮＴ）は診断インターフェース支援機能（ＤＩＳＦ）モジュールと、ＤＩＳＦモジュールに接続されたＰＯＮインターフェース支援機能（ＰＩＳＦ）モジュールとを備えている。ＰＩＳＦモジュールは、ＰＩＳＦモジュールに接続されたＰＯＮを介してＰＩＳＦモジュールによって受信されるように送信されるリモート発行の診断要求を受信し、ＤＩＳＦモジュールからの要求応答情報を受信すると、ＰＩＳＦモジュールからＰＯＮを介して要求応答情報を送信する。ＤＩＳＦモジュールとＰＩＳＦモジュールとは、リモート発行の診断要求がＰＩＳＦモジュールからＤＩＳＦモジュールへと、要求応答情報がＤＩＳＦモジュールからＰＩＳＦモジュールへと通信されることを可能にするように共同で構成されている。【選択図】      図１
2006191589.tif 000002
【特許請求の範囲】
【請求項１】
受動光ネットワーク（ＰＯＮ）システム用の光加入者線終端装置（ＯＮＴ）であって、
診断インターフェース支援機能（ＤＩＳＦ）モジュールと、
ＤＩＳＦモジュールに接続されたＰＯＮインターフェース支援機能（ＰＩＳＦ）モジュールと、を備え、
ＰＩＳＦモジュールは、ＰＩＳＦモジュールに接続されたＰＯＮを介してＰＩＳＦモジュールによって受信されるように送信されるリモート発行の診断要求を受信し、ＰＩＳＦモジュールがＤＩＳＦモジュールからの要求応答情報を受信するとこれに応答して、ＰＩＳＦモジュールからＰＯＮを介して前記要求応答情報を送信するように構成され、かつ、
ＤＩＳＦモジュールとＰＩＳＦモジュールとは、リモート発行の診断要求がＰＩＳＦモジュールからＤＩＳＦモジュールへと通信されることを可能にし、前記要求応答情報がＤＩＳＦモジュールからＰＩＳＦモジュールへと通信されることを可能にするように共同で構成される光加入者線終端装置。
【請求項２】
コア処理機能（ＣＰＦ）モジュールと、
テレフォニーインターフェース支援機能（ＴＩＳＦ）モジュールと、をさらに備え、
前記モジュールは、ＤＩＳＦモジュールがリモート発行の診断要求を受信するとそれに応答して、リモート発行の診断要求に対応するローカル発行の診断要求がＤＩＳＦモジュールからＣＰＦモジュール、ＰＩＳＦモジュールおよびＴＩＳＦモジュールの少なくとも１つへと通信されることを可能にするように共同で構成される請求項１に記載の光加入者線終端装置。
【請求項３】
前記モジュールは、リモート発行の診断機能要求に対応するＯＮＴ診断機能が促進されることを可能にし、かつ前記ＯＮＴ診断機能の促進に応答して診断応答情報を生成するように構成され、
前記ＯＮＴ診断機能は、ローカル発行の診断要求がＤＩＳＦモジュールからＣＰＦモジュール、ＰＩＳＦモジュール、およびＴＩＳＦモジュールの少なくとも１つへと通信されるとそれに応答して促進され、
前記モジュールは、前記診断応答情報がＣＰＦモジュール、ＰＩＳＦモジュール、およびＴＩＳＦモジュールの少なくとも１つからＤＩＳＦモジュールへと通信されることを可能にするように共同で構成され、
前記要求応答情報は前記診断応答情報により構成された診断結果に対応する請求項２に記載の光加入者線終端装置。
【請求項４】
ＰＩＳＦモジュールは、リモート発行の診断要求をリモート発行のものと認識し、ＰＩＳＦモジュールがリモート発行の診断要求を認識するとそれに応答して、リモート発行の診断要求をＰＩＳＦモジュールからＤＩＳＦモジュールへと通信するように構成され、
ＤＩＳＦモジュールは、リモート発行の診断要求をリモート発行のものと認識し、ＤＩＳＦモジュールがリモート発行の診断要求を認識した後、リモート発行の診断要求に対応してＯＮＴ機能を促進するように構成される請求項１に記載の光加入者線終端装置。
【請求項５】
コア処理機能（ＣＰＦ）モジュールと、
テレフォニーインターフェース支援機能（ＴＩＳＦ）モジュールと、をさらに備え、
前記モジュールは、ＤＩＳＦモジュールがリモート発行の診断要求を受信し認識するとそれに応答して、リモート発行の診断要求に対応するローカル発行の診断要求がＤＩＳＦモジュールからＣＰＦモジュール、ＰＩＳＦモジュールおよびＴＩＳＦモジュールの少なくとも１つへと通信されることを可能にするように共同で構成される請求項４に記載の光加入者線終端装置。
【請求項６】
前記モジュールは、リモート発行の診断機能要求に対応するＯＮＴ診断機能が促進されることを可能にし、かつ前記ＯＮＴ診断機能の促進に応答して診断応答情報を生成するように構成され、
前記ＯＮＴ診断機能は、ローカル発行の診断要求がＤＩＳＦモジュールからＣＰＦモジュール、ＰＩＳＦモジュール、およびＴＩＳＦモジュールの少なくとも１つへと通信されるとそれに応答して促進され、
前記モジュールは、前記診断応答情報がＣＰＦモジュール、ＰＩＳＦモジュール、およびＴＩＳＦモジュールの少なくとも１つからＤＩＳＦモジュールへと通信されることを可能にするように共同で構成され、
前記要求応答情報は前記診断応答情報により構成された診断結果に対応する請求項５に記載の光加入者線終端装置。
【請求項７】
受動光ネットワーク（ＰＯＮ）システムにおける光加入者線終端装置（ＯＮＴ）機能の遠隔アクセスを促進する方法であって、
ＰＯＮインターフェース支援機能（ＰＩＳＦ）モジュールに接続されたＰＯＮを介してＯＮＴのＰＩＳＦモジュールによって受信されるように送信されるリモート発行の診断要求を受信するステップと、
リモート発行の診断要求をＯＮＴのＰＩＳＦモジュールから診断インターフェース支援機能（ＤＩＳＦ）モジュールへと通信するステップと、
要求応答情報をＤＩＳＦモジュールからＰＩＳＦモジュールへと通信するステップと、
ＰＩＳＦモジュールがＤＩＳＦモジュールから前記要求応答情報を受信するとそれに応答してＰＯＮを介して前記要求応答情報をＰＩＳＦモジュールから送信するステップと、を含む方法。
【請求項８】
ＤＩＳＦモジュールがリモート発行の診断要求を受信するとそれに応答して、リモート発行の診断要求に対応するローカル発行の診断要求をＤＩＳＦモジュールからＯＮＴのコア処理機能（ＣＰＦ）モジュール、ＯＮＴのＰＩＳＦモジュールおよびテレフォニーインターフェース支援機能（ＴＩＳＦ）モジュールの少なくとも１つへと通信するステップをさらに含む請求項７に記載の方法。
【請求項９】
ローカル発行の診断要求がＤＩＳＦモジュールからＣＰＦモジュール、ＰＩＳＦモジュール、およびＴＩＳＦモジュールの少なくとも１つに通信されるとそれに応答して、リモート発行の診断要求に対応するＯＮＴ診断機能を促進するステップと、
前記ＯＮＴ診断機能の促進に応答して診断応答情報を生成するステップと、
前記診断応答情報をＣＰＦモジュール、ＰＩＳＦモジュール、およびＴＩＳＦモジュールの少なくとも１つからＤＩＳＦモジュールへと通信するステップと、をさらに含み、
前記要求応答情報は前記診断応答情報から構成された診断結果に対応する請求項８に記載の方法。
【請求項１０】
リモート発行の診断要求をリモート発行のものと認識するステップと、
ＰＩＳＦモジュールがリモート発行の診断要求を認識するとそれに応答して、リモート発行の診断要求をＰＩＳＦモジュールからＤＩＳＦモジュールへと通信するステップと、
ＤＩＳＦモジュールがリモート発行の診断要求を認識した後、リモート発行の診断要求に対応してＯＮＴ診断機能を促進するステップと、
前記診断要求情報をＣＰＦモジュール、ＰＩＳＦモジュール、およびＴＩＳＦモジュールの少なくとも１つからＤＩＳＦモジュールへと通信するステップと、をさらに含み、前記要求応答情報は前記診断応答情報により構成された診断結果に対応する請求項７に記載の方法。
【発明の詳細な説明】
【技術分野】
【０００１】
本明細書による開示は一般的に受動光ネットワークシステムに関し、特に光加入者線終端装置の診断機能への遠隔アクセスの促進に関する。
【背景技術】
【０００２】
受動光ネットワーク（ＰＯＮ）システムでは、光伝送路終端装置（ＯＬＴ）は中央局（ＣＯ）の位置にあり、また光加入者線終端装置（ＯＮＴ）はサービス加入者の位置にある。これらの２つのネットワーク要素はＣＯとサービス加入者の位置の間のデータ送信を促進するために相互運用される。ＯＬＴとＯＮＴは人員（例えば技術者）が診断機能にローカルアクセスできるように、それぞれローカル診断インターフェースを有している。要素管理システム（ＥＭＳ）はそれぞれのインターフェースチャネルを経てＯＬＴに接続され、ＥＭＳを経てＰＯＮを介してＯＬＴとＯＮＴのある種の診断機能を促進することを可能にする。このような診断機能の例には、それに限定されるものではないが、システムのメインテナンスに関する機能、システム検査に関する機能、およびシステム提供に関する機能の１つまたはそれ以上が含まれる。
【０００３】
所望のＯＮＴ診断機能がＯＮＴ管理および制御インターフェース（ＯＭＣＩ）によってサポートされる場合は、それらの起動はＯＬＴの常駐インターフェースを介して、または要素管理システムを介してリモートで促進されることができる。しかし、通信チャネル、インターフェースおよび／またはネットワーク要素（例えばＯＮＴ管理および制御インターフェース（ＯＭＣＩ））の１つまたはそれ以上によってサポートされていないＯＮＴ診断機能にアクセスするには、ローカルＯＮＴ診断インターフェース（すなわちローカルクラフトインターフェース）への物理的接続が必要である。サポートされないＯＮＴ診断機能のこのような状況は、これらの診断機能にアクセスするにはＯＮＴがインストールされる物理的位置に技術者が移動しなければならないことを意味する。
【０００４】
ＯＮＴ診断機能にＯＮＴでローカルアクセスすることは経費がかかり、リスクの可能性があり、物流管理上で非効率である。サービス加入者の場所への各々のトラックロールは、通信会社の相当の経費を表す。加えて、ＯＮＴへのアクセスは加入者の家庭または事業所に直接出向かないと不可能であり、それによって待機時間および／または帰路の移動により更に経費がかかることがある。
【発明の開示】
【発明が解決しようとする課題】
【０００５】
したがって、ＯＮＴ診断機能へのアクセスを促進するための従来のアプローチに関連する欠点を克服するような態様での、ＯＮＴ診断機能へのアクセスを促進するためのアプローチは有利、有用かつ新規性があろう。
【課題を解決するための手段】
【０００６】
本明細書でなされる発明の開示によって、ＯＮＴ診断機能へのアクセスを促進するための従来のアプローチに関連する欠点を克服するような態様で、ＯＮＴ診断機能へのアクセスを促進することが可能になる。より具体的には、本明細書でなされる発明の開示によるシステムおよび方法の実施形態によって、標準のＯＮＴ管理および制御インターフェースプロトコルによってサポートされないＯＮＴ診断機能（すなわちプロプライエタリ診断機能）にＯＮＴでローカルアクセス可能になるだけではなく、対応するＯＬＴまたはＥＭＳを介してリモートでもアクセス可能になる。したがって、おそらく最も極端な場合を除いて（例えばＰＯＮレベルでのＯＮＴ／ＯＬＴ通信に対処する必要がある場合）、本明細書でなされる本発明の開示によるシステムおよび方法の様々な実施形態ではＯＮＴの物理的位置に移動する必要がなくなる。このような非インターフェース支援ＯＮＴ診断機能への遠隔アクセスを可能にするこれらのシステムおよび方法の利点には、それに限定されるものではないが、サービス加入者の場所へのトラックロールに関連する経費の節減、待機時間および／またはサービス加入者の場所への帰路に関連する経費の節減、およびサービス加入者の場所で生ずるかもしれない状況での技術者へのリスクの低減が含まれる。
【０００７】
本明細書でなされる発明の開示の一実施形態によれば、受動光ネットワーク（ＰＯＮ）システム用の光加入者線終端装置（ＯＮＴ）は診断インターフェース支援機能（ＤＩＳＦ）モジュールと、ＤＩＳＦモジュールに接続されたＰＯＮインターフェース支援機能（ＰＩＳＦ）モジュールとを備えている。ＰＩＳＦモジュールは、ＰＩＳＦモジュールに接続されたＰＯＮを介してＰＩＳＦモジュールによって受信されるように送信されるリモート発行の診断要求を受信し、ＰＩＳＦモジュールがＤＩＳＦモジュールからの要求応答情報を受信するとこれに応答して、ＰＩＳＦモジュールからＰＯＮを介して要求応答情報を送信するように構成されている。ＤＩＳＦモジュールとＰＩＳＦモジュールとは、リモート発行の診断要求がＰＩＳＦモジュールからＤＩＳＦモジュールへと通信されることを可能にし、要求応答情報がＤＩＳＦモジュールからＰＩＳＦモジュールへと通信されることを可能にするように共同で構成されている（ｊｏｉｎｔｌｙ  ｃｏｎｆｉｇｕｒｅｄ）。
【０００８】
本明細書でなされる発明の開示の別の実施形態によれば、受動光ネットワークシステムは光加入者線終端装置（ＯＮＴ）と、光伝送経路終端装置（ＯＬＴ）と、ＯＮＴとＯＬＴとの間に接続された受動光ネットワーク（ＰＯＮ）とを備えている。ＯＮＴとＯＬＴとはリモート発行の診断要求がＰＯＮを介してＯＬＴからＯＮＴへと通信されることを可能にするように共同で構成されている。ＯＮＴとＯＬＴとは要求応答情報がＰＯＮを介してＯＮＴからＯＬＴへと通信されることを可能にするように共同で構成されている。ＯＮＴとＯＬＴは各々診断インターフェース支援機能（ＤＩＳＦ）モジュールとＰＯＮインターフェース支援機能（ＰＩＳＦ）モジュールとを含んでいる。ＯＬＴのＤＩＳＦモジュールとＯＬＴのＰＩＳＦモジュールとは、リモート発行の診断要求がＯＬＴのＤＩＳＦモジュールからＯＬＴのＰＩＳＦモジュールへと通信されることを可能にし、要求応答情報がＯＬＴのＰＩＳＦモジュールからＯＬＴのＤＩＳＦモジュールへと通信されることを可能にするように共同で構成されている。ＯＮＴのＤＩＳＦモジュールとＯＮＴのＰＩＳＦモジュールとは、リモート発行の診断要求がＯＮＴのＰＩＳＦモジュールからＯＮＴのＤＩＳＦモジュールへと通信されることを可能にし、要求応答情報がＯＮＴのＤＩＳＦモジュールからＯＮＴのＰＩＳＦモジュールへと通信されることを可能にするように共同で構成されている。
【０００９】
本明細書でなされる発明の開示の一実施形態によれば、受動光ネットワーク（ＰＯＮ）システムにおける光加入者線終端装置（ＯＮＴ）の機能への遠隔アクセスを促進するための方法が提供される。この方法は、ＯＮＴと光伝送路終端装置（ＯＬＴ）との間に接続されたＰＯＮを介してＯＮＴによって受信されるためのＯＬＴからのＯＮＴ診断機能要求の送信を促進するステップを含んでいる。要求の受信および要求がＯＬＴから送信されたことの認識に応答して、診断結果を判定するためのＯＮＴ診断機能の実装が促進される。ＯＮＴ診断機能の実装の促進がなされた後、ＯＬＴによって受信されるためのＯＮＴからの要求応答情報の送信が促進される。要求応答情報は診断結果に対応する。
【００１０】
本明細書でなされる発明の開示の一実施形態によれば、受動光ネットワーク（ＰＯＮ）システムにおける光加入者線終端装置（ＯＮＴ）の機能への遠隔アクセスを促進する方法が提供される。この方法は、ＰＯＮインターフェース支援機能（ＰＩＳＦ）モジュールに接続されたＰＯＮを介してＯＮＴのＰＩＳＦモジュールによって受信されるように送信されたリモート発行の診断要求を受信するステップと、リモート発行の診断要求をＯＮＴのＰＩＳＦモジュールから診断インターフェース支援機能（ＤＩＳＦ）モジュールへと通信するステップと、要求応答情報をＤＩＳＦモジュールからＰＩＳＦモジュールへと通信するステップとを含んでいる。ＰＩＳＦモジュールがＤＩＳＦモジュールから要求応答情報を受信するとそれに応答して要求応答情報がＰＯＮを介してＰＩＳＦモジュールから送信される。
【発明を実施するための最良の形態】
【００１１】
本明細書でなされる発明の開示の上記の、およびその他の目的および実施形態は下記の明細書および関連図をさらに検討することによって容易に明らかになる。
【００１２】
図１は本明細書でなされる発明の開示の実施形態による受動光ネットワーク（ＰＯＮ）システム１００の実施形態を示している。ハードウエア構成の観点では、ＰＯＮシステム１００は必ずしもそれに限らないが好適には、一般的に従来のＰＯＮシステムの構成に従って構成される。しかし、ソフトウエア／方法論的な観点では、ＰＯＮシステム１００は本明細書でなされる発明の開示によるＯＮＴ診断機能を実行するように構成される。
【００１３】
ＰＯＮシステム１００は要素管理システム（ＥＭＳ）１０５と、光伝送路終端装置（ＯＬＴ）１１０と、ＰＯＮ１１５と、光加入者線終端装置（ＯＮＴ）１２０とを含んでいる。ＥＭＳ１０５は要素管理チャネル（ＥＭＣ）１２５を介してＯＬＴ１１０に接続されることによって、相互間の通信が可能にされる。ＯＬＴ１１０はＰＯＮ１１５を介してＯＮＴ１２０に接続されることによって、相互間の通信が可能にされる。
【００１４】
ＥＭＳ１０５はＯＬＴ１１０、ＰＯＮ１１５およびＯＮＴ１２０に遠隔管理アクセスするように構成されている。ＯＬＴ１１０はＯＬＴローカルクラフトインターフェース１３０（例えばＴＬ１インターフェース）を含むことによって、技術者用のローカルインターフェースを提供する。ＯＬＴ１１０はＰＯＮ能力を付与するための必要な診断機能を促進し、ＥＭＳ１０５とのインターフェースを付与し、かつＥＭＳ１０５、ＰＯＮ１１５、およびＯＮＴ１２０への遠隔管理アクセスを行うように構成されている。ＰＯＮ１１５はＯＬＴ  １１０とＯＮＴ１２０との光接続性を提供する。ＯＮＴ１２０は、住居または企業ビル内部を含むサービス加入者の地所の地理的なさまざまな場所のいずれか１つに配備される。ＯＮＴ１２０はＯＮＴローカルクラフトインターフェース１３５とテレフォニーインターフェース１４０とを含んでいる。ＯＮＴローカルクラフトインターフェース１３５は技術者用のローカルインターフェースを提供し、テレフォニーインターフェース１４０はサービス加入者の設備との接続性を提供する。
【００１５】
本明細書でなされる発明の開示により、ＯＮＴクラフトインターフェース１３５にアクセス可能な診断能力の少なくとも一部はプロプライエタリ診断能力であり、ＯＮＴ１２０のＰＯＮインターフェース能力によってサポートされない（すなわち、非支援ＯＮＴ診断機能）。本明細書でなされる発明の開示により、ＯＮＴ１２０はＥＭＳ１０５および／またはＯＬＴ１１０と共に、技術者がＥＭＳ１０５および／またはＯＬＴローカルクラフトインターフェース１３０を介してこのような非支援型診断機能を促進可能であるように構成されている。ＥＭＳ１０５を介したこのような非支援型診断機能へのアクセスを可能にするため、ＥＭＳ１０５は本明細書でなされる発明の開示によるＯＮＴ診断機能を可能にするＯＬＴ能力にアクセスするように構成されている。一実施形態では、ＥＭＳ１０５はこのような非支援型診断機能を実施するために技術者にＯＮＴで遠隔セッションを確立する能力、およびＯＮＴ内の他のソフトウエアによって使用されるハードウエアおよび／またはソフトウエアのレジスタにアクセスするためＯＮＴ内のプロセッサと直接的に対話する能力を提供するグラフィカルユーザインターフェースを含む。以下により詳細に記載するように、ＯＬＴ１１０とＯＮＴ１２０とは、本明細書の発明の開示により非支援型診断機能の実行を可能にするように構成されている。
【００１６】
図２はＯＬＴ１１０の実施形態を示している。ＯＬＴ１１０は要素管理インターフェース支援機能（ＥＭＩＳＦ）モジュール１５０と、コア処理機能（ＣＰＦ）モジュール１５２と、ＰＯＮインターフェース支援機能（ＰＩＳＦ）モジュール１５４と、診断インターフェース支援機能（ＤＩＳＦ）モジュール１５６とを含んでいる。ＥＭＩＳＦモジュール１５０と、ＣＰＦモジュール１５２と、ＰＩＳＦモジュール１４５と、ＤＩＳＦモジュール１５６（すなわちＯＬＴ１１０の機能ブロック）とは相互間での対話が可能であるように相互接続されている。ＯＬＴ１１０のＥＭＩＳＦモジュール１５０は（図１に示した）ＥＭＣ１２５を介した情報の通信を可能にするためにＯＬＴ１１０の要素管理インターフェース１５８をサポートするハードウエアおよび／またはソフトウエアを備えている。ＯＬＴ１１０のＰＩＳＦモジュール１５４は（図１に示した）ＰＯＮ１１５を介した情報の通信を可能にするためにＯＬＴ１１０のＰＯＮインターフェース１６０をサポートするハードウエアおよび／またはソフトウエアを備えている。ＯＬＴ１１０のＤＩＳＦモジュール１５６は技術者によって操作される診断設備を介した情報の通信を可能にするためにＯＬＴ１１０のＯＬＴローカルクラフトインターフェース１６２をサポートするハードウエアおよび／またはソフトウエアを備えている。ＯＬＴ１１０のＣＰＦモジュール１５２はＯＬＴ１１０によってサポートされるいずれかの物理的インターフェース（例えばＥＭＳインターフェース１４８、ＰＯＮインターフェース１６０、およびＯＬＴローカルクラフトインターフェース１６２）のサポートに直接関連しないハードウエアおよび／またはソフトウエア（例えばデータ処理デバイスの電源、ハードウエア監視機能など）を備えている。
【００１７】
図３は図１のＯＮＴ１２０の実施形態を示している。ＯＮＴ１２０はＰＩＳＦモジュール１６４と、コア処理機能（ＣＰＦ）モジュール１６６と、ＴＩＳＦモジュール１６８と、ＤＩＳＦモジュール１７０とを含んでいる。ＰＩＳＦ１６４、ＣＰＦモジュール１６６、ＴＩＳＦモジュール１６８およびＤＩＳＦモジュール１７０（すなわち、ＯＮＴ１２０の機能ブロック）とは相互間での対話が可能であるように相互接続されている。ＯＮＴ１２０のＰＩＳＦモジュール１６４は（図１に示した）ＰＯＮ１１５を介した情報の通信を可能にするためにＯＮＴ１２０のＰＯＮインターフェース１７２をサポートするハードウエアおよび／またはソフトウエアを備えている。ＯＮＴ１２０のＴＩＳＦモジュール１６８はサービス加入者の敷地内でのインターフェースチャネルを介して加入者の設備との情報通信を可能にするためにＯＮＴ１２０のテレフォニーインターフェース１７４をサポートするハードウエアおよび／またはソフトウエアを備えている。ＯＮＴ１２０のＤＩＳＦモジュール１７０は、技術者によって操作される診断設備を介した情報の通信を可能にするためにＯＮＴローカルクラフトインターフェース１７６をサポートするハードウエアおよび／またはソフトウエアを備えている。ＯＮＴ１２０のＣＰＦモジュール１６６はＯＮＴ１２０によってサポートされるいずれかの物理的インターフェース（例えばＰＯＮインターフェース１７２、テレフォニーインターフェース１７４、およびＯＮＴローカルクラフトインターフェース１７６）のサポートに直接関連しないハードウエアおよび／またはソフトウエア（例えばデータ処理デバイスの電源、ハードウエア監視機能など）を備えている。
【００１８】
したがって、本明細書の発明の開示によるＯＬＴは情報用の伝送機能を提供し、また本明細書の発明の開示によるＯＮＴは伝送機能、要求解釈機能および要求実行機能を提供する。本明細書の発明の開示によるＯＬＴおよびＯＮＴによって提供される機能によって、ＯＬＴとＯＮＴとが別の会社によって製造され、それぞれの診断機能を相互に完全にはサポートしなくても、技術者はＯＮＴの問題をリモートで（例えばＯＬＴから、および／またはＥＭＳで）診断することが可能である。例えば、所望の診断機能要求を指定し、ＯＬＴが認識し、かつＯＮＴに通信するユーザー定義のメッセージを利用することによって、ＯＬＴは技術者とＯＮＴとのメッセージ内容の伝送機構を提供し、それによってユーザー定義のメッセージの要求された診断機能を受信し、認識し、かつ解釈することを可能にする。
【００１９】
図４Ａから４Ｃは本明細書の発明の開示によるＯＮＴ診断機能を促進するための方法２００を示している。したがって、この方法２００は標準のＯＮＴ管理および制御インターフェースプロトコル（すなわちプロプライエタリ診断機能）によってサポートされないＯＮＴ診断機能がＯＮＴにてローカルで、及び有利には対応するＯＬＴまたはＥＭＳを介してＰＯＮ経由でリモートでアクセスされることを可能にするように構成されている。したがって、おそらく最も極端な場合を除いて（例えばＰＯＮレベルでのＯＮＴ／ＯＬＴ通信に対処する必要がある場合）、この方法２００は技術者がＯＮＴの物理的位置に移動する必要をなくし、それによりサービス加入者の場所へのトラックロールに関連する経費を節減し、待機時間および／またはサービス加入者の場所への帰路に関連する経費を節減し、およびサービス加入者の場所で生ずるかもしれない状況で技術者へのリスクを低減する。図１から図３に示されたＰＯＮシステム１００および構成要素であるネットワーク要素は、方法２００を実行するために構成可能な（すなわち、ソフトウエアおよび／または方法論上の修正によって）ハードウエアの例である。明解にするため、方法２００による動作はＰＯＮシステム１００の構成要素であるネットワーク要素と組み合わせて説明される。しかし、方法２００によって明白に実施される機能の実装はＰＯＮシステム１００およびその構成要素であるネットワーク要素を介した実装に限定されるものではないことが当業者には理解されよう。
【００２０】
図４Ａを参照すると、ＯＬＴ１１０のＥＭＩＳＦモジュール１５０は、ＯＬＴ１１０によって受信されるようにＥＭＳ１０５から送信されたリモート発行のＯＮＴ診断機能要求を受信するための動作２０２を実行する。リモート発行のＯＮＴ診断機能要求の受信に応答して、ＯＬＴ１１０のＥＭＩＳＦモジュール１５０は、リモート発行のＯＮＴ診断機能要求を認識するための動作２０４を実行する。下流方向（すなわちＯＮＴ１２０に向かう方向）でのこのような認識は本明細書では、リモート発行のＯＮＴ診断機能要求が非支援型のＯＮＴ診断機能に対応し、したがって本明細書の発明の開示による方法論を利用して解釈、通信、送信、受信、および／または実装されなければならないという認識として開示される。例えば、一実施形態では、リモート発行のＯＮＴ診断機能要求を認識するステップは、リモート発行のＯＮＴ診断機能要求を非支援型ＯＮＴ診断機能用の知られている要求の収集と比較するステップを含んでいる。
【００２１】
リモート発行のＯＮＴ診断機能要求を非支援型のＯＮＴ診断機能を実装する要求であると認識するとそれに応答して、ＯＬＴ１１０のＥＭＩＳＦモジュール１５０とＯＬＴ１１０のＤＩＳＦモジュール１５６とは、リモート発行のＯＮＴ診断機能要求をＯＬＴ１１０のＥＭＩＳＦモジュール１５０からＯＬＴ１１０のＤＩＳＦモジュール１５６へと通信する動作２０６を共同で実行する。リモート発行のＯＮＴ診断機能要求がＯＬＴ１１０のＤＩＳＦモジュール１５６に通信されるとそれに応答して、ＯＬＴ１１０のＤＩＳＦモジュール１５６はリモート発行のＯＮＴ診断機能要求を認識するための動作２０８を実行する。リモート発行のＯＮＴ診断機能要求を非支援型のＯＮＴ診断機能を実装する要求であると認識するとそれに応答して、ＯＬＴ１１０のＤＩＳＦモジュール１５６とＯＬＴ１１０のＰＩＳＦモジュール１５４とは、リモート発行のＯＮＴ診断機能要求をＯＬＴ１１０のＤＩＳＦモジュール１５６からＯＬＴ１１０のＰＩＳＦモジュール１５４へと通信する動作２１０を共同で実行する。リモート発行のＯＮＴ診断機能要求がＯＬＴ１１０のＰＩＳＦモジュール１５４に通信されるとそれに応答して、ＯＬＴ１１０のＰＩＳＦモジュール１５４はリモート発行のＯＮＴ診断機能要求を認識する動作２１０を実行する。リモート発行のＯＮＴ診断機能要求を非支援型のＯＮＴ診断機能を実装する要求であると認識するとそれに応答して、ＰＩＳＦモジュール１５４はＰＯＮ１１５を介してＯＮＴ１２０によって受信されるようにリモート発行のＯＮＴ診断機能要求をＯＬＴ１１０から送信する動作２１４を実行する。一実施形態では、リモート発行のＯＮＴ診断機能要求の送信ステップは好適には、要求されたＯＮＴ診断機能に対応し、ＰＯＮ１１５を介して送信するように構成された１つまたは複数のコマンドパケットを生成するステップを含んでいる。
【００２２】
図４Ｂを参照すると、ＯＮＴ１２０のＰＩＳＦモジュール１６４は、ＯＮＴ１２０によって受信されるようにＯＬＴ１１０から送信されたリモート発行のＯＮＴ診断機能要求を受信するための動作２１６を実行する。リモート発行のＯＮＴ診断機能要求の受信に応答して、ＯＮＴ１２０のＰＩＳＦモジュール１６４は、リモート発行のＯＮＴ診断機能要求を認識するための動作２１８を実行する。リモート発行のＯＮＴ診断機能要求を非支援型のＯＮＴ診断機能を実装する要求であると認識するとそれに応答して、ＯＮＴ１２０のＰＩＳＦモジュール１６４とＯＮＴ１２０のＤＩＳＦモジュール１７０とは、リモート発行のＯＮＴ診断機能要求をＯＮＴ１２０のＰＩＳＦモジュール１６４からＯＮＴ１２０のＤＩＳＦモジュール１７０へと通信する動作２２０を共同で実行する。リモート発行のＯＮＴ診断機能要求がＯＮＴ１２０のＤＩＳＦモジュール１７０に通信されるとそれに応答して、ＯＮＴ１２０のＤＩＳＦモジュール１７０はリモート発行のＯＮＴ診断機能要求を認識するための動作２２２を実行する。
【００２３】
リモート発行のＯＮＴ診断機能要求を非支援型のＯＮＴ診断機能を実装する要求であると認識するとそれに応答して、ＯＮＴ１２０のＤＩＳＦモジュール１７０は要求されたＯＮＴ診断機能に関する特定の細目（例えばどのＯＮＴ診断機能が要求されているか、要求されたＯＮＴ診断機能をどの条件で実行するかなど）を決定するために、リモート発行のＯＮＴ診断機能要求を解釈する動作２２４を実行し、その後で、決定された特定の細目に対応するＯＮＴ診断機能要求（すなわちローカル発行されたＯＮＴ診断機能要求）を発行する動作２２６が実行される。ローカル発行のＯＮＴ診断機能要求はＯＮＴ１２０のＰＩＳＦモジュール１６４、ＯＮＴ１２０のＣＰＦモジュール１６６および／またはＯＮＴ１２０のＴＩＳＦモジュール１６８によって受信されるようにＤＩＳＦモジュール１７０によって発行され、ＯＮＴ１２０の上記のモジュールによって解釈されることができる。
【００２４】
ローカル発行のＯＮＴ診断機能要求を発行後、またＯＮＴ１２０のモジュール（１６４〜１７０）がローカル発行されたＯＮＴ診断機能要求に基づいて動作した後、ＤＩＳＦモジュール１７０は診断応答情報をＯＮＴ１２０のＰＩＳＦモジュール１６４、ＯＮＴ１２０のＣＰＦモジュール１６６および／またはＯＮＴ１２０のＴＩＳＦモジュール１６８から受信する動作２２８を実行する。診断応答情報は要求されたＯＮＴ診断機能の診断結果（すなわち促進された、要求されたＯＮＴ診断機能から生ずる情報）に対応する。診断応答情報の受信に応答して、ＤＩＳＦモジュール１７０は診断応答情報の少なくとも一部を含む要求応答情報を作成する動作２３０を実行する。要求応答情報の作成に応答して、ＰＩＳＦモジュール１６４およびＤＩＳＦモジュール１７０は共同で要求応答情報をＯＮＴ１２０のＤＩＳＦモジュール１７０からＯＮＴ１２０のＰＩＳＦモジュール１６４に通信する動作２３２を実行する。
【００２５】
要求応答情報がＯＮＴ１２０のＰＩＳＦモジュール１６４に通信されるとそれに応答して、ＯＮＴ１２０のＰＩＳＦモジュール１６４は要求応答情報を認識する動作２３４を実行する。上流方向（すなわちＥＭＳ１０５に向かう方向）でのこのような認識は本明細書では、要求応答情報が非支援型のＯＮＴ診断機能に対応し、したがって本明細書の発明の開示によって解釈、通信、送信、および／または受信されなければならないという認識として開示される。例えば、一実施形態では、要求応答情報を認識するステップは、要求応答情報がこれを非支援型のＯＮＴ診断機能を実装する要求に関連する情報であるものと指定する特定の識別情報を含んでいるか否かを判定するステップを含んでいる。要求応答情報を非支援型のＯＮＴ診断機能を実装する要求に関連する情報であると認識するとこれに応答して、ＯＮＴ１２０のＰＩＳＦモジュール１６４はＰＯＮ１１５を介してＯＬＴ１１０によって受信されるように要求応答情報をＯＮＴ１１０から送信する動作２３６を実行する。一実施形態では、要求応答情報の送信ステップは好適には、要求応答情報に対応し、ＰＯＮ１１５を介して送信されるように構成された１つまたは複数のコマンドパケットを生成するステップを含んでいる。
【００２６】
図４Ｃを参照すると、ＯＬＴ１１０のＰＩＳＦモジュール１５４は、ＯＮＴ１２０によって受信されるようにＯＬＴ１１０から送信された要求応答情報を受信するための動作２３８を実行する。要求応答情報の受信に応答して、ＯＬＴ１１０のＰＩＳＦモジュール１５４は、リモート発行のＯＮＴ診断機能要求を認識するための動作２４０を実行する。要求応答情報を非支援型のＯＮＴ診断機能を実装する要求に関連する情報であると認識するとそれに応答して、ＯＬＴ１１０のＰＩＳＦモジュール１５４とＯＬＴ１１０のＤＩＳＦモジュール１５６とは、要求応答情報をＯＬＴ１１０のＰＩＳＦモジュール１４４からＯＬＴ１１０のＤＩＳＦモジュール１５６へと通信する動作２４２を共同で実行する。
【００２７】
要求応答情報がＯＬＴ１１０のＤＩＳＦモジュール１５６に通信されるとそれに応答して、ＯＬＴ１１０のＤＩＳＦモジュール１５６は要求応答情報を認識するための動作２４４を実行する。要求応答情報を非支援型のＯＮＴ診断機能を実装する要求に関連する情報であると認識するとそれに応答して、ＯＬＴ１１０のＤＩＳＦモジュール１５６とＯＬＴ１１０のＥＭＩＳＦモジュール１５０とは共同で要求応答情報をＯＬＴ１１０のＤＩＳＦモジュール１５６からＯＬＴ１１０のＥＭＩＳＦモジュール１５０へと通信する動作２４６を実行する。要求応答情報がＯＬＴ１１０のＥＭＩＳＦモジュール１５０に通信されるとそれに応答して、ＯＬＴ１１０のＥＭＩＳＦモジュール１５０は要求応答情報を認識する動作２４８を実行し、その後でＯＬＴ１１０のＥＭＩＳＦモジュール１５０はＥＭＳ１０５によって受信されるようにＯＬＴ１１０用の要求応答情報を送信する動作２５０を実行する。
【００２８】
あるいは、リモート発行のＯＮＴ診断機能要求はＥＭＳ１０５から提供されるのではなく、技術者によってＯＬＴローカルクラフトインターフェース１６２で提供されてもよい。同様に、要求応答情報はＥＭＳ１０５においてではなく、ＯＬＴローカルクラフトインターフェース１６２を介して技術者によってアクセスされてもよい。
【００２９】
方法２００にかんがみて、技術者がＯＮＴ１２０の物理的位置にいなくてもＯＮＴ１２０のローカルクラフトインターフェース１３５（すなわちＯＮＴ１２０の診断インターフェース）の診断能力にアクセスすることを可能にする機構が提供される。それによって、そうしなければＯＮＴ１２０への物理的接続を必要とする診断テストを行うためにＯＮＴ１２０の物理的位置に移動する必要がなくなる。方法２００に示されているように、ＯＮＴのローカルクラフトインターフェースの診断能力へのこのようなリモートアクセスを実施するには、ＯＮＴおよび関連するＯＬＴの能力の多くの異なる代替物および／または追加を必要とする。これらの代替物および／または追加には、それに限定されるものではないが、遠隔の技術者からのＯＮＴ診断要求を、ＰＯＮを介してＯＬＴとＯＮＴとの間で交換される情報（例えばデータ）へと組み入れる能力をＯＬＴに付加するステップ、診断インタラクション（ｉｎｔｅｒａｃｔｉｏｎ）を遠隔の技術者とＯＬＴとの間で転送するための能力をＰＯＮで使用されるプロトコルに拡張するステップ、診断インタラクションを遠隔の技術者とＯＮＴとの間で転送するための能力をＰＯＮで使用されるプロトコルに拡張するステップ、遠隔の技術者による診断措置の要求を、ＯＮＴのローカルクラフトインターフェースで発行されたものであるようにＯＮＴによって処理可能であるようにＯＬＴおよびＯＮＴの様々なモジュールの機能を拡張するステップが含まれる。
【００３０】
ＯＮＴ／ＯＬＴインターフェースの拡張には、物理層ＯＡＭ（ＰＬＯＡＭ）および／またはＢＰＯＮ（ブロードバンドＰＯＮ）システムで使用されるＯＭＣＩプロトコルを拡張することが含まれよう。ＧＰＯＮ（ギガビットＰＯＮ）およびＥＰＯＮ（イーサーネットを利用したＰＯＮ）の場合は、対応するプロトコル構成要素の拡張が必要であろう。インターフェースプロトコルのＰＬＯＡＭレベル（またはＧＰＯＮまたはＥＰＯＮシステム内の対応する最低レベル）を拡張すれば、高レベルの機能に対する依存度が最小になるので、本明細書でなされる発明の開示の診断値が最高になるであろう。ＯＭＣＩ、またはＧＰＯＮおよびＥＰＯＮシステム内の対応するプロトコルの拡張も可能であり、場合によっては、同様のレベルの診断能力を提供するであろう。
【００３１】
ＰＬＯＡＭはＯＬＴとＯＮＴとの間の管理情報のパケットを交換するための第２層プロトコルである。ＯＭＣＩは管理チャネルプロトコルである。本明細書の発明の開示による方法及びシステムの実装には、ＯＬＴとＯＮＴのプロセッサ間でのメッセージの交換をサポートするためのＰＬＯＡＭ転送機構の拡張、またはこの同じ情報を転送するためのＯＭＣＩのユーザー定義メッセージ能力の利用のいずれかが含まれる。ＰＬＯＡＭの利用が好適であるが、それはこの戦略では遠隔の技術者とＯＮＴの処理デバイス（単数または複数）との間のソフトウエアの量が最小になるからである。しかし、ＰＬＯＡＭの利用には関連するインターフェースプロトコルの拡張が含まれる。ＯＭＣＩでユーザー定義のメッセージを使用すると標準化の影響は少なくなるが、ＯＬＴとＯＮＴとの間のプロセッサ間により多くのプロトコルソフトウエアが含まれるので頑強さは低下しよう。どのアプローチが選択されるかに関わりなく、結果として生じた機構は製造業者特有の（例えばプロプライエタリ）コマンドおよび対応する応答データを含むメッセージパケットをＯＮＴとＯＬＴとの間で交換可能でなければならない。
【００３２】
ここでコンピュータ読み取り可能媒体を参照すると、本明細書の発明の開示により、本明細書に開示されるＯＮＴ診断機能を実行するように構成された方法、ステップおよび／または動作は、このような機能を実行するための命令を内蔵しているコンピュータ読み取り可能媒体によって明白に実施されることが理解されよう。特定の一実施形態では、プロプライエタリであってＯＮＴのＰＯＮインターフェース能力によってサポートされない、要求されたＯＮＴ診断機能（すなわち非支援型ＯＮＴ診断機能）を促進するため、上記の図３Ａから３Ｃに開示された方法２００を実行するように命令が明白に実施される。この命令はメモリ装置（例えばＲＡＭ、ＲＯＭ、仮想メモリ、ハードドライブメモリなど）から、データ処理システムのドライブユニットによって読み取り可能な装置（例えばディスケット、コンパクトディスク、テープカートリッジなど）から、または双方から１つまたは複数のデータ処理デバイスによってアクセス可能であってもよい。したがって、本明細書の発明の開示によるコンピュータ読み取り可能媒体の実施形態は、本明細書の発明の開示によるＯＮＴ診断機能を実行するようにされたイメージされたコンピュータプログラム（すなわち命令のセット）を内蔵するコンパクトディスク、ハードドライブ、ＲＡＭまたはその他の種類の記憶装置を含んでいる。
【００３３】
これまでの詳細な説明で、その一部を形成し、本発明を実行できる特定の実施形態が例示された添付図面が参照された。これらの実施形態およびその幾つかの変形が、当業者が本発明を実行できるのに充分に詳細に記載された。さらに、本発明の趣旨または範囲から逸れることなく、その他の適宜の実施形態を利用してもよく、また、論理的、機械的および電気的変更を行ってもよいことが理解されよう。例えば、本発明の趣旨または範囲から逸れることなく、図中に示された機能ブロックをいずれかの態様でさらに組み合わせるか分割することが可能であろう。不要な詳細を避けるため、記述は当業者には知られているある種の情報は省略している。したがってこれまでの詳細な説明は、本明細書に記載した特定の形態に限定されることを意図するものではなく、むしろそれとは対照的に、添付の特許請求の範囲の趣旨と範囲内に合理的に含めることが可能な上記の代替、修正および均等物を包含することを意図するものである。
【図面の簡単な説明】
【００３４】
【図１】本明細書の発明の開示の実施形態による受動光ネットワークシステムの実施形態を示す図面である。
【図２】図１に示された光伝送路終端装置の実施形態を示す図面である。
【図３】図１の光加入者線終端装置の実施形態を示す図面である。
【図４Ａ】本明細書の発明の開示の実施形態による光加入者線終端装置の診断機能を促進する方法を示す図面である。
【図４Ｂ】本明細書の発明の開示の実施形態による光加入者線終端装置の診断機能を促進する方法を示す図面である。
【図４Ｃ】本明細書の発明の開示の実施形態による光加入者線終端装置の診断機能を促進する方法を示す図面である。
【符号の説明】
【００３５】
１００  受動光ネットワーク（ＰＯＮ）システム
１０５  要素管理システム（ＥＭＳ）
１１０  光伝送路終端装置（ＯＬＴ）
１１５  光受動ネットワーク
１２０  光加入者線終端装置（ＯＮＴ）
１３０、１６２  ＯＬＴローカルクラフトインターフェース
１３５、１７６  ＯＮＴローカルクラフトインターフェース
１４０、１７４  テレフォニーインターフェース
１５０  要素管理インターフェース支援機能（ＥＭＩＳＦ）モジュール
１５２  コア処理機能（ＣＰＦ）モジュール
１５４  ＰＯＮインターフェース支援機能（ＰＩＳＦ）モジュール
１５６  診断インターフェース支援機能（ＤＩＳＦ）モジュール
１５８  要素管理インターフェース
１６０、１７２  ＰＯＮインターフェース
１６４  ＰＩＳＦモジュール
１６６  ＣＰＦモジュール
１６８  ＴＩＳＦモジュール
１７０  ＤＩＳＦモジュール
【図１】
2006191589.tif 000003
【図２】
2006191589.tif 000004
【図３】
2006191589.tif 000005
【図４Ａ】
2006191589.tif 000006
【図４Ｂ】
2006191589.tif 000007
【図４Ｃ】
2006191589.tif 000008
【外国語明細書】
2006191589.tif 000009
2006191589.tif 000010
2006191589.tif 000011
2006191589.tif 000012
2006191589.tif 000013
2006191589.tif 000014
2006191589.tif 000015
2006191589.tif 000016
2006191589.tif 000017
2006191589.tif 000018
2006191589.tif 000019
2006191589.tif 000020
2006191589.tif 000021
2006191589.tif 000022
2006191589.tif 000023
2006191589.tif 000024
2006191589.tif 000025
2006191589.tif 000026
2006191589.tif 000027
2006191589.tif 000028
2006191589.tif 000029
2006191589.tif 000030
2006191589.tif 000031
2006191589.tif 000032
2006191589.tif 000033
2006191589.tif 000034
2006191589.tif 000035